(57)【要約】【課題】カードを搬送するローラの交換作業を行う場合に、当該ローラ以外の部分についての取り外しや取り付け作業が不要なカード処理装置を提供する。【解決手段】カードを搬送するためのローラ３０ａは、ローラ本体３４と、このローラ本体３４を回転させるシャフト５０を取り付けるための取付部３１とから構成される。  取付部３１には、留めネジ６０が挿入される貫通孔３２と、シャフト５０の軸方向と略垂直な方向に形成された切り欠き部３３ａとを設ける。切り欠き部３３ａにシャフト５０の端部が係合した状態で、貫通孔３２に挿入された留めネジ６０により、シャフト５０を取付部３１に固定する。【選択図】図３
2010272008.tif 000002
【特許請求の範囲】
【請求項１】
カードを搬送するためのローラを備え、前記ローラは、ローラ本体と、このローラ本体を回転させるシャフトを取り付けるための取付部とから構成されるカード処理装置において、
前記取付部に、固定部材が挿入される貫通孔と、前記シャフトの軸方向と略垂直な方向に形成された切り欠き部とを設け、
前記切り欠き部に前記シャフトの端部が係合した状態で、前記貫通孔に挿入された固定部材により、前記シャフトを前記取付部に固定したことを特徴とするカード処理装置。
【請求項２】
請求項１に記載のカード処理装置において、
前記切り欠き部の形成方向は、前記シャフトの軸方向および前記固定部材の挿入方向と略垂直な方向であることを特徴とするカード処理装置。
【請求項３】
請求項１に記載のカード処理装置において、
前記切り欠き部の両端に開口が形成されていることを特徴とするカード処理装置。
【請求項４】
請求項１に記載のカード処理装置において、
前記切り欠き部の形成方向は、前記シャフトの軸方向と略垂直で、かつ前記固定部材の挿入方向と略平行な方向であることを特徴とするカード処理装置。
【請求項５】
請求項１ないし請求項４のいずれかに記載のカード処理装置において、
前記貫通孔の形状を、当該貫通孔に挿入された前記固定部材が前記取付部に埋入される形状としたことを特徴とするカード処理装置。
【請求項６】
請求項１ないし請求項５のいずれかに記載のカード処理装置において、
前記ローラ本体の一部に、前記シャフトの端部を収容する凹部を形成したことを特徴とするカード処理装置。
【発明の詳細な説明】
【技術分野】
【０００１】
本発明は、自動取引装置等に搭載されるカード処理装置に関し、特に、カードを搬送するためのローラの取付構造に関するものである。
【背景技術】
【０００２】
ＡＴＭ（Automatic Teller  Machine）に代表される自動取引装置等には、取引に使用されるカードを取り扱うためのカード処理装置が搭載されている。このカード処理装置は、例えば、カードの表面にＩＣ（Integrated Circuit）チップの端子（以下「ＩＣ端子」という。）を備えたＩＣカードや、カードの表面に磁気ストライプを備えた磁気カード、あるいは、カードの表面にＩＣ端子を備えるとともに、その裏面に磁気ストライプを備えたＩＣ／磁気併用型カードが利用可能な構成となっている。
【０００３】
ＩＣ／磁気併用型カードが利用可能なカード処理装置の内部は、例えば、図１５に示すような構造になっている。図１５に示すカード処理装置２００において、２０１は、カード３００を挿入するための挿入口である。２０２は、カード処理装置２００の内部にカード３００を搬送する際の搬送路である。２０３は、カード３００を搬送するためのローラである。また、２０４は、カード３００のＩＣ端子（図示省略）に接触することでデータの読出しや書込みを行うＩＣ接点部である。２０５は、カード３００の磁気ストライプ（図示省略）に接触することでデータの読出しや書込みを行う磁気ヘッドである。
【０００４】
ここで、カード３００の挿入方向は、図中のＩで示される方向であり、以下、「挿入方向Ｉ」と記載する。同様に、カード処理装置２００の左側面方向は、図中のＬで示される方向であり、以下、「左方向Ｌ」と記載する。カード処理装置２００の右側面方向は、図中のＲで示される方向であり、以下、「右方向Ｒ」と記載する。
【０００５】
また、カード３００の排出方向は、挿入方向Ｉと反対の方向、つまり、図中のＯで示される方向であり、以下、「排出方向Ｏ」と記載する。さらに、挿入方向Ｉ−排出方向Ｏ、および、左方向Ｌ−右方向Ｒとそれぞれ直交する上向きの方向は、図中のＵで示される方向であり、以下、「上方向Ｕ」と記載する。同様に、挿入方向Ｉ−排出方向Ｏ、および、左方向Ｌ−右方向Ｒとそれぞれ直交する下向きの方向は、図中のＤで示される方向であり、以下、「下方向Ｄ」と記載する。
【０００６】
さらに、以下の説明において参照する図では、同一部分または対応する部分に同一符号を付してある。
【０００７】
上述したローラ２０３は、例えば、図１６に示す状態でカード処理装置２００の内部に取り付けられている。図１６は、図１５中のＡ−Ａ´におけるカード処理装置２００の断面を示した図である。
【０００８】
図１６において、ＦＲは、カード処理装置２００の右方向Ｒにおけるフレームである。ＦＬは、カード処理装置２００の左方向Ｌにおけるフレームである。５００は、ローラ２０３を回転させるためのシャフトである。６００は、シャフト５００に対して、モータ（図示省略）の回転力を伝達するためのプーリである。プーリ６００には、上述したモータの回転力を伝達するためのベルト（図示省略）が架けられている。一点鎖線Ｎは、右方向Ｒ−左方向Ｌにおけるカード処理装置２００の中心位置を示している。
【０００９】
尚、図１６において、搬送路２０２に対して上方向Ｕに位置するシャフト５００には、搬送路２０２に対して下方向Ｄに位置するシャフト５００と同様に、プーリ６００を取り付けてもよいし、当該プーリ６００を取り付けなくてもよい。よって、当該シャフト５００のローラ２０３が取り付けられていない方の端部については、図示を省略している。
【００１０】
上述したローラ２０３は、例えば、図１７に示すような構造になっている。図１７において、ローラ２０３は、ローラ本体７４と、シャフト５００を取り付けるための取付部７１とからなる。７２は、シャフト５００と取付部７１を固定するための留めネジ８０が挿入される一対の貫通孔である。留めネジ８０の表面には、雄ネジ（図示省略）が形成されている。７３は、シャフト５００が挿入される孔である。
【００１１】
シャフト５００において、９１は、貫通孔７２を介して留めネジ８０が挿入される貫通孔である。貫通孔９１の内部には、上述した留めネジ８０の表面の雄ネジに対応した雌ネジ（図示省略）が形成されている。９２は、プーリ６００（図１６）に形成された係合部（図示省略）と係合する係合突起である。
【００１２】
以上の構成からなるローラ２０３は、カード３００の挿入／排出動作が繰り返し行われることにより、次第に汚損され、磨耗していく。このため、ローラ２０３が汚損または磨耗した場合は、当該ローラ２０３の交換作業を行わなければならない。
【００１３】
ローラ２０３の交換作業を行う場合は、古いローラ２０３をシャフト５００から取り外した後、新しいローラ２０３を当該シャフト５００に取り付ける。ローラ２０３の取り外し作業においては、留めネジ８０を回転させて、留めネジ８０の表面の雄ネジと、シャフト５００の貫通孔９１内部の雌ネジとの嵌合状態を解き、その後、貫通孔７２および貫通孔９１から留めネジ８０を上方向Ｕへ取り外す。なお、留めネジ８０が下側から貫通孔７２に挿入されている場合は、留めネジ８０の取り外し方向は、下方向Ｄである。
【００１４】
留めネジ８０を取り外した後は、プーリ６００（図１６）に架けられているベルト（図示省略）を取り外し、その後、シャフト５００をローラ２０３の孔７３から左方向Ｌに引き抜くとともに、フレームＦＬに形成されている貫通孔（図示省略）からシャフト５００を引き抜く。ローラ２０３の取付け作業は、上述の取り外し作業と逆の順番で行われる。
【００１５】
このように、ローラ２０３をシャフト５００から取り外す場合、プーリ６００に架けられているベルトを取り外す必要があり、ローラ２０３をシャフト５００に取り付けた後は、当該プーリ６００から外したベルトを架け直して、当該ベルトの張り具合を調整しなければならない。つまり、ローラ２０３の交換作業において、当該ローラ２０３以外の部分についても、取り外しや取り付け作業を行う必要があるため、多くの時間と手間が掛かっていた。これに対して、後掲の特許文献１および非特許文献１には、ローラ２０３の交換作業を容易に行うためのカード処理装置が記載されている。
【００１６】
図１６において上記特許文献１に記載された構成を採用した場合、カード処理装置２００は、図１８に示すような構成となる。詳しくは、図１８において、カード処理装置２００のフレームＦＬの内側（カード処理装置２００の内部）には、右方向Ｒに延びた支柱７００が設けられ、当該支柱７００の一端部には、上方向Ｕに延びた保持部材８００が、ネジ（図示省略）等によって取り付けられている。保持部材８００は、ローラ２０３を貫通したシャフト５００を保持する役割を担っている。
【００１７】
このため、支柱７００から保持部材８００を取り外すことにより、ローラ２０３を、シャフト５００から右方向Ｒに引き抜くことが出来るため、シャフト５００を左方向Ｌに引き抜くことなく、当該ローラ２０３のみを交換することが出来る。
【００１８】
図１６において上記非特許文献１に記載された構成を採用した場合、カード処理装置２００は、当該カード処理装置２００の中心部（一点鎖線Ｎ）から右方向Ｒと左方向Ｌに向かって２つに分解することが出来る。これにより、ローラ２０３が外部に露出するため、シャフト５００を左方向Ｌに引き抜くことなく、当該ローラ２０３のみを交換することが出来る。
【先行技術文献】
【特許文献】
【００１９】
【特許文献１】特開平９−１６１０１５号公報
【非特許文献】
【００２０】
【非特許文献１】OMRON TECHNICS  Vol.４４  No.１（通巻１４９号）２００４，第７５〜７９頁「次世代カードリーダ・ライタ（V2Xシリーズ）の開発」
【発明の概要】
【発明が解決しようとする課題】
【００２１】
しかしながら、図１６において上記特許文献１または非特許文献１に記載されたいずれの構成を採用した場合でも、依然として、ローラ２０３以外の部分についての取り外しや取り付け作業は必要である。
【００２２】
本発明は、上述した問題点に鑑み、カードを搬送するローラの交換作業を行う場合に、当該ローラ以外の部分についての取り外しや取り付け作業が不要なカード処理装置を提供することを目的としている。
【課題を解決するための手段】
【００２３】
本発明は、カードを搬送するためのローラを備え、ローラは、ローラ本体と、このローラ本体を回転させるシャフトを取り付けるための取付部とから構成されるカード処理装置において、取付部に、固定部材が挿入される貫通孔と、シャフトの軸方向と略垂直な方向に形成された切り欠き部とを設け、切り欠き部にシャフトの端部が係合した状態で、貫通孔に挿入された固定部材により、シャフトを取付部に固定したものである。
【００２４】
このようにすることで、ローラをシャフトから取り外す場合、シャフトを軸方向に移動させて、切り欠き部や、フレームに形成されたシャフト支持用の貫通孔から引き抜く必要がなく、シャフトをそのままにして、ローラだけを簡単に取り外すことができる。このため、シャフトにプーリが取り付けられている場合でも、当該プーリに架けられているベルトを取り外す必要がない。また、ローラをシャフトに取り付けた後、プーリから外したベルトを架け直して、当該ベルトの張り具合の調整を行わなくてもよい。したがって、ローラ以外の部分についての取り外しや取り付け作業を要することなく、ローラの交換作業を行うことが出来る。
【００２５】
本発明では、切り欠き部の形成方向が、シャフトの軸方向および固定部材の挿入方向と略垂直な方向であってもよい。これによると、ローラを固定部材の挿入方向と略垂直な方向へ取り外すことが容易となる。
【００２６】
本発明では、切り欠き部の両端に開口が形成されていてもよい。これによると、ローラを２方向のいずれにも引き抜くことが出来る。
【００２７】
本発明では、切り欠き部の形成方向が、シャフトの軸方向と略垂直で、かつ固定部材の挿入方向と略平行な方向であってもよい。これによると、切り欠き部の形成方向と固定部材の挿入方向とが一致しているため、固定部材を取り外した後、ローラを回転させて切り欠き部の形成方向を固定部材の挿入方向に合わせる必要がなく、直ちにローラを引き抜くことが出来る。
【００２８】
本発明では、貫通孔の形状を、当該貫通孔に挿入された固定部材が取付部に埋入される形状としてもよい。これによると、露出した固定部材が搬送路を移動するカードの表面に触れて、カードが損傷されるのを防止することが出来る。
【００２９】
本発明では、ローラ本体の一部に、シャフトの端部を収容する凹部を形成してもよい。これによると、シャフトをローラ本体に容易に位置決めすることができ、固定部材の押圧力がシャフトに加わっても、シャフトの中心軸とローラ本体の中心軸との間にずれが生じるのを回避することができる。
【発明の効果】
【００３０】
本発明によれば、シャフトをそのままにしてローラを取り外すことができるので、ローラの交換作業を行う場合に、当該ローラ以外の部分についての取り外しや取り付け作業が不要なカード処理装置を提供することができる。
【図面の簡単な説明】
【００３１】
【図１】カードの挿入方向から見たカード処理装置の外観図である。
【図２】下部フレームの上面図である。
【図３】第１実施形態のローラの構造を示した分解斜視図である。
【図４】第１実施形態のローラの構造を示した分解側面図である。
【図５】第１実施形態のローラの構造を示した組立斜視図である。
【図６】第１実施形態のローラの構造を示した組立側面図である。
【図７】第２実施形態のローラの構造を示した分解斜視図である。
【図８】第２実施形態のローラの構造を示した分解側面図である。
【図９】第３実施形態のローラの構造を示した分解斜視図である。
【図１０】第３実施形態のローラの構造を示した分解側面図である。
【図１１】第４実施形態のローラの構造を示した分解斜視図である。
【図１２】第４実施形態のローラの構造を示した分解側面図である。
【図１３】第５実施形態のローラの構造を示した分解側面図および組立側面図である。
【図１４】第６実施形態のローラの構造を示した分解側面図および組立側面図である。
【図１５】従来のカード処理装置の内部を示した図である。
【図１６】従来のカード処理装置の断面図である。
【図１７】従来のローラの構造を示した分解斜視図である。
【図１８】従来の他のカード処理装置の断面図である。
【発明を実施するための形態】
【００３２】
以下、本発明の実施形態につき、図面を参照しながら説明する。
【００３３】
図１は、本発明の実施形態であるカード処理装置１００の外観図である。図１に示されるカード処理装置１００は、下部フレーム１０と、上部フレーム２０とから構成されており、ヒンジ部１６を中心として上部フレーム２０を回動させることにより、上下に分割可能な構造となっている。図２は、下部フレーム１０の上面図である。
【００３４】
図１および図２に示す下部フレーム１０において、１１ａ〜１１ｄは、カード３００を搬送するためのローラ（図示省略）が収容される貫通孔である。尚、ローラの詳細については後述する。図１の下部フレーム１０において、１２ａ〜１２ｄは、各ローラを回転させるためのシャフト（図示省略）が挿入される貫通孔である。尚、当該シャフトの詳細については後述する。
【００３５】
図１および図２に示す下部フレーム１０において、１３は、カード処理装置１００内部にカード３００を搬送する際の搬送路である。１４ａおよび１４ｂは、搬送路１３内におけるカード３００の挿入方向Ｉ−排出方向Ｏの位置を検知するセンサ（図示省略）が収容される孔である。１５は、カード３００の磁気ストライプ（図示省略）に接触することでデータの読出しや書込みを行う磁気ヘッド（図示省略）が収容される孔である。
【００３６】
カード処理装置１００に取り付けられるローラの構造は、例えば、図３の斜視図および図４の側面図に示す通りである。図３および図４において、ローラ３０ａは、ローラ本体３４と、当該ローラ本体３４を回転させるシャフト５０を取り付けるための取付部３１とからなる。
【００３７】
取付部３１は、例えば、円柱状の金属部材から構成される。３２は、シャフト５０と取付部３１を固定するための固定部材である留めネジ６０が挿入される一対の貫通孔である。留めネジ６０の表面には、雄ネジ（図示省略）が形成されている。３３ａは、取付部３１に形成された切り欠き部、３６は、切り欠き部３３ａの開口である。
【００３８】
切り欠き部３３ａの形成方向は、シャフト５０の軸方向（図３ではＬ−Ｒ方向）および留めネジ６０の挿入方向（図３ではＵ−Ｄ方向）と略垂直な方向（図３ではＩ−Ｏ方向）である。
【００３９】
円柱形のローラ本体３４の外周には、カード表面に接触してカードに搬送力を伝達するためのウレタンゴム等の弾性部材３４ａが設けられている。ローラ３０ａは、取付部３１にシャフト５０が取り付けられた状態（図５参照）において、シャフト５０の軸を中心として、シャフト５０と一体に回転する。
【００４０】
シャフト５０において、５１は、貫通孔３２を介して留めネジ６０が挿入される貫通孔である。貫通孔５１の内部には、上述した留めネジ６０の表面の雄ネジに対応した雌ネジ（図示省略）が形成されている。
【００４１】
取付部３１に形成された切り欠き部３３ａに、シャフト５０の端部が係合した状態で、取付部３１の貫通孔３２に挿入された留めネジ６０を締めることにより、留めネジ６０がシャフト５０の貫通孔５１へ嵌合し、シャフト５０が取付部３１に固定される。この状態を、図５および図６に示す。
【００４２】
５２は、シャフト５０に対してモータ（図示省略）の回転力を伝達するためのプーリ（図示省略）に形成された係合部（図示省略）と係合する係合突起である。尚、シャフト５０に取付けられるプーリは、例えば、図１６に示すプーリ６００と同様のものであり、取り付けた状態も図１６と同様である。
【００４３】
以上の構成からなるローラ３０ａの交換作業を行う場合は、古いローラ３０ａをシャフト５０から取り外した後、新しいローラ３０ａを当該シャフト５０に取り付ける。尚、以下においては、貫通孔１１ｃ（図１）に収容されているローラ３０ａの交換作業の詳細について述べる。尚、貫通孔１１ａ，１１ｂ，１１ｄに収容されているローラ３０ａの交換作業の詳細については、以下に述べるローラ３０ａの交換作業と同様であるため、説明を省略する。
【００４４】
ローラ３０ａの取り外し作業においては、まず、下部フレーム１０を上から見て、貫通孔１１ｃから留めネジ６０が見えるように、当該ローラ３０ａを手で回転させる。
【００４５】
続いて、貫通孔１１ｃから見える留めネジ６０を工具を用いて回転させて、留めネジ６０の表面の雄ネジと、シャフト５０の貫通孔５１内部の雌ネジとの嵌合状態を解き、その後、貫通孔３２から留めネジ６０を上方向Ｕへ取り外す。
【００４６】
そして、留めネジ６０を取り外した後は、切り欠き部３３ａの形成方向が、Ｕ−Ｄ方向に対して略平行となるように、すなわち、切り欠き部３３ａの開口３６が下方向Ｄ（または上方向Ｕ）を向くように、再度ローラ３０ａを回転させ、その後、ローラ３０ａを上方向Ｕ（または下方向Ｄ）に引き抜く。ローラ３０ａの取付け作業は、上述の取り外し作業と逆の順番で行われる。
【００４７】
このように、上述した実施形態においては、古いローラ３０ａの交換作業を行う場合、下部フレーム１０の貫通孔１１ｃから留めネジ６０が見えるように、当該ローラ３０ａを回転させ、留めネジ６０を取り外す。留めネジ６０を取り外した後、切り欠き部３３ａの開口３６が下方向Ｄ（または上方向Ｕ）を向くように、再度ローラ３０ａを回転させ、その後、ローラ３０ａを上方向Ｕ（または下方向Ｄ）に引き抜く。そして、新しく用意したローラ３０ａを、上記手順とは逆の順番でシャフト５０に取付けることにより、ローラ３０ａの交換作業が完了する。
【００４８】
したがって、ローラ３０ａをシャフト５０から取り外す場合、シャフト５０を、左方向Ｌに移動させて切り欠き部３３ａや貫通孔１２ｃから引き抜く必要がなく、シャフト５０をそのままにして、ローラ３０ａだけを簡単に取り外すことができる。このため、シャフト５０に取り付けられているプーリ（図示省略）に架けられているベルト（図示省略）を取り外す必要がない。また、ローラ３０ａをシャフト５０に取り付けた後、プーリから外したベルトを架け直して、当該ベルトの張り具合の調整を行わなくてもよい。
【００４９】
なお、ローラ３０ａを貫通孔１１ｃを通して取り外す場合は、留めネジ６０を取り外した後、開口３６が下方向Ｄを向くようにローラ３０ａを回転させる必要があるが、下部フレーム１０（図１）の下側において、ローラ３０ａを取り外すスペースがある場合は、ローラ３０ａを回転させることなく、留めネジ６０の挿入方向（Ｕ−Ｄ方向）と略垂直な方向（Ｉ−Ｏ方向）へ取り外すことが容易となる。
【００５０】
また、特許文献１に記載された構成を採用したカード処理装置（図１８）や、非特許文献１に記載された構成を採用したカード処理装置のように、ローラ２０３（図１８）を貫通したシャフト５００を保持する保持部材８００の取り外し／取り付け作業や、カード処理装置２００（図１６）の中心部（一点鎖線Ｎ）から、当該カード処理装置２００を右方向Ｒと左方向Ｌに向かって２つに分解した後、元の状態に組み立て直す作業を行わなくてもよい。つまり、ローラ３０ａ以外の部分についての取り外しや取り付け作業を要することなく、当該ローラ３０ａの交換作業を行うことが出来る。
【００５１】
さらに、ローラ３０ａの引き抜き／取り付け方向は、左右方向（Ｌ−Ｒ方向）ではなく、上下方向（Ｕ−Ｄ方向）であるため、ローラ３０ａを収容するための貫通孔１１ａ〜１１ｄのＬ−Ｒ方向の幅は最小限で済む。これにより、例えば、図１や図２に示すように、貫通孔１１ｃに隣接して、センサ用の孔１４ｂや磁気ヘッド用の孔１５が存在するために、貫通孔１１ｃのＬ−Ｒ方向の幅を広げることが不可能な場合でも、ローラ３０ａを容易に取り外すことができる。
【００５２】
本発明では、以上述べた以外にも種々の実施形態を採用することが出来る。例えば、上記実施形態においては、カード処理装置１００の貫通孔１１ａ〜１１ｄに収容されるローラを、図３および図４で示される構造のローラ３０ａとしたが、これに限られず、例えば、図７〜図１２に示される構造のローラを取り付けてもよい。尚、図７，図９，図１１は、当該ローラの構造を示した分解斜視図であり、図８，図１０，図１２は、当該ローラの構造を示した分解側面図である。
【００５３】
詳しくは、図７および図８に示されるローラ３０ｂにおいて、取付部３１における切り欠き部３３ｂの形成方向は、図３と同様であるが、図３では切り欠き部３３ａの一端に開口３６が形成されているのに対し、図７では切り欠き部３３ｂの両端に開口３６が形成されている。このため、本実施形態では、ローラ３０ｂを２方向（例えば、上方向Ｕと下方向Ｄ）のいずれにも引き抜くことが出来る。
【００５４】
図９および図１０に示されるローラ３０ｃにおいて、取付部３１における切り欠き部３３ｃの形成方向は、シャフト５０の軸方向（Ｌ−Ｒ方向）と略垂直で、かつ留めネジ６０の挿入方向（Ｕ−Ｄ方向）と略平行な方向、すなわちＵ−Ｄ方向である。また、開口３６は、貫通孔３２と反対の方向に位置している。このため、本実施形態では、留めネジ６０を取り外した後、再度ローラ３０ｃを回転させることなく、直ちにローラ３０ｃを上方向Ｕに引き抜くことが出来る。
【００５５】
図１１および図１２に示されるローラ３０ｄにおいて、取付部３１は、図９のローラ３０ｃにおける取付部３１の下半分をカットしたような形状となっている。このため、本実施形態では、上述したローラ３０ａ〜３０ｃよりも、切り欠き部３３ｄが浅くなった分だけ、留めネジ６０を取り外した後のローラ３０ｄの引き抜き方向の制限が少なくなる。
【００５６】
また、上述した実施形態においては、留めネジ６０の頭部が取付部３１に形成されている貫通孔３２から露出する構造であったが（図５、図６参照）、図１３に示すように、貫通孔３２の形状を、当該貫通孔３２に挿入された留めネジ６０が取付部３１に埋入可能な形状にしてもよい。この構成は、上述したローラ３０ａ〜３０ｄの全てに採用することができる。これにより、露出した留めネジ６０が搬送路１３を移動するカード３００の表面に触れて、カードが損傷されるのを防止することが出来る。
【００５７】
さらに、図１４に示すように、ローラ本体３４の一部に凹部３５を形成して、この凹部３５にシャフト５０の端部を収容してもよい。この構成は、上述したローラ３０ａ〜３０ｄの全てに採用することができ、また、図１３の構成と合わせて採用してもよい。これにより、シャフト５０をローラ本体３４に容易に位置決めすることができ、留めネジ６０の押圧力がシャフト５０に加わっても、シャフト５０の中心軸とローラ本体３４の中心軸との間にずれが生じるのを回避することができる。
【符号の説明】
【００５８】
１０    下部フレーム
１１ａ〜１１ｄ    貫通孔
１２ａ〜１２ｄ    貫通孔
２０    上部フレーム
３０ａ〜３０ｄ    ローラ
３１    取付部
３２    貫通孔
３３ａ〜３３ｄ    切り欠き部
３４    ローラ本体
３５    凹部
３６    開口
５０    シャフト
５１    貫通孔
６０    留めネジ
１００    カード処理装置
【図１】
2010272008.tif 000003
【図２】
2010272008.tif 000004
【図３】
2010272008.tif 000005
【図４】
2010272008.tif 000006
【図５】
2010272008.tif 000007
【図６】
2010272008.tif 000008
【図７】
2010272008.tif 000009
【図８】
2010272008.tif 000010
【図９】
2010272008.tif 000011
【図１０】
2010272008.tif 000012
【図１１】
2010272008.tif 000013
【図１２】
2010272008.tif 000014
【図１３】
2010272008.tif 000015
【図１４】
2010272008.tif 000016
【図１５】
2010272008.tif 000017
【図１６】
2010272008.tif 000018
【図１７】
2010272008.tif 000019
【図１８】
2010272008.tif 000020